(57)【要約】【課題】使用者の人体を冷やし過ぎることがなく、使用時間が長くなっても人体に冷感を与えき、使用者の快適性を高める。【解決手段】本発明は、人体に接触することにより冷感を与える冷感パッド１０であって、編地１４に所定の間隔を隔てて縫製により取り付けられる複数のボタン１５と、それぞれのボタン１５に接着剤により固着される複数のセラミックス製の冷却体１６と、を備え、冷却体１６は隣接する冷却体１６と非接触状態で編地１４に配置されていることを特徴とする。【選択図】図１
2013172950.tif 000002
【特許請求の範囲】
【請求項１】
人体に接触することにより冷感を与える冷感パッドであって、
編地の表面側に吸熱性を有する固形状の冷却体が複数取り付けられており、該冷却体は隣接する冷却体と非接触状態で前記編地に配置されていることを特徴とする冷感パッド。
【請求項２】
前記編地に所定の間隔を隔てて縫製により取り付けられる複数のボタンを備え、
前記冷却体は前記それぞれのボタンに接着剤により固着されることを特徴とする請求項１に記載の冷感パッド。
【請求項３】
前記冷却体はアルミナセラミック製であり、該冷却体の裏面側に前記ボタンが嵌合可能な凹部が形成されていることを特徴とする請求項１又は２に記載の冷感パッド。
【請求項４】
前記冷却体に脱着可能な固定部材を備え、該固定部材と前記冷却体とで前記編地を挟持することにより該冷却体が前記編地に固定されることを特徴とする請求項１に記載の冷感パッド。
【請求項５】
前記冷却体はアルミナセラミック製であり、該冷却体の裏面側に前記編地を貫通すると共に前記固定部材の孔に嵌合可能な凸部が形成されていることを特徴とする請求項４に記載の冷感パッド。
【請求項６】
前記編地は、表編地と裏編地とが連結糸で連結されてメッシュ状に形成された立体編地であることを特徴とする請求項１〜５のいずれか１の請求項に記載の冷感パッド。
【請求項７】
人体の頭部に接触することにより冷感を与える冷感パッドであって、
仰向け姿勢で人体の後頭部が接触する部分には前記冷却体が前記編地に固定されていないことを特徴とする請求項１〜６のいずれか１の請求項に記載の冷感パッド。
【請求項８】
前記冷却体は表面側が凸状に湾曲した円板状に形成されており、前記隣接する冷却体との間隔は該冷却体の直径の１／３〜２／３倍の範囲に設定されていることを特徴とする請求項１〜７のいずれか１の請求項に記載の冷感パッド。
【請求項９】
人体の胴体部分に接触することにより冷感を与える冷感パッドであって、
前記冷却体は表面側が凸状に湾曲した円板状に形成されており、前記隣接する冷却体との間隔は該冷却体の直径の１／２〜１倍の範囲に設定されていることを特徴とする請求項１〜８のいずれか１の請求項に記載の冷感パッド。
【発明の詳細な説明】
【技術分野】
【０００１】
本発明は、枕やベッド等の上に敷かれて人体に接触することにより冷感を与える冷感パッドに関する。
【背景技術】
【０００２】
従来、枕やベッド等の上に敷かれる冷感パッドとして、使用者の睡眠時の快適性を向上させる目的のため、内部にゲル状の冷却剤を備えているものなどが知られている（例えば、非特許文献１参照）。
【先行技術文献】
【非特許文献】
【０００３】
【非特許文献１】ケンコーコムのウェブサイト（URL：http://www.kenko.com/product/item/itm_6907665172.html）
【発明の概要】
【発明が解決しようとする課題】
【０００４】
しかしながら、上記した非特許文献１に記載されているような従来の冷感パッドでは、使用開始直後は温度が冷た過ぎる一方、冷却効果があまり長く続かないため、睡眠時の快適性を十分に高めることが難しいといった問題があった。
【０００５】
また、使用前に冷蔵庫に入れておき、不使用時には直射日光の当たらない涼しい場所に保管する必要があるため、使用勝手が悪く、取扱いが面倒であるといった問題があった。
【０００６】
さらに、冷却剤の寿命が短く、定期的に新しいものに取り替える必要があるため、管理に手間が掛かるといった問題もあった。
【０００７】
本発明は、上記した課題を解決すべくなされたものであり、使用者の人体を冷やし過ぎることがなく、使用時間が長くなっても人体に冷感を与えることができ、使用者の快適性を高めることのできる冷感パッドを提供することを目的とするものである。
【課題を解決するための手段】
【０００８】
上記した目的を達成するため、本発明は、人体に接触することにより冷感を与える冷感パッドであって、編地の表面側に吸熱性を有する固形状の冷却体が複数取り付けられており、該冷却体は隣接する冷却体と非接触状態で前記編地に配置されていることを特徴とする。
【０００９】
この特徴によれば、前記冷却体が人体の熱を吸収し、この冷却体の吸熱作用は、使用時間の経過と共に人体との接触面が体温に同化するが、冷却体は、隣接する冷却体と非接触状態で配置されており、寝返り等で人体と離れている間の短時間で初期状態に戻るため、睡眠中の使用者の快適性を高めることができる。
【００１０】
また、本発明に係る冷感パッドにおいて、前記編地に所定の間隔を隔てて縫製により取り付けられる複数のボタンを備え、前記冷却体は前記それぞれのボタンに接着剤により固着されることを特徴としてもよい。
【００１１】
この特徴によれば、安価な方法で前記冷却体を編地にしっかり固定することができ、冷却体の編地からの脱落を防止することができる。
【００１２】
また、本発明に係る冷感パッドにおいて、冷却体はアルミナセラミック製であり、該冷却体の裏面側に前記ボタンが嵌合可能な凹部が形成されていることを特徴とする。
【００１３】
この特徴によれば、前記冷却体が高い吸熱性能を備えているため、睡眠中の使用者の快適性をさらに高めることができる。
【００１４】
また、本発明に係る冷感パッドにおいて、前記冷却体に脱着可能な固定部材を備え、該固定部材と前記冷却体とで前記編地を挟持することにより該冷却体が前記編地に固定されることを特徴とする。
【００１５】
この特徴によれば、前記冷却体が損傷或いは破損等した場合であっても、簡単に交換することができ、使い勝手をさらに高めることができる。
【００１６】
また、本発明に係る冷感パッドにおいて、前記冷却体はアルミナセラミック製であり、該冷却体の裏面側に前記編地を貫通すると共に前記固定部材の孔に嵌合可能な凸部が形成されていることを特徴とする。
【００１７】
この特徴によれば、前記冷却体が高い吸熱性能を備えているため、睡眠中の使用者の快適性をさらに高めることができる。また、簡単な構造で前記冷却体を脱着可能とすることができ、使い勝手をさらに高めることができる。
【００１８】
また、本発明に係る冷感パッドにおいて、前記編地は、表編地と裏編地とが連結糸で連結されてメッシュ状に形成された立体編地であることを特徴としてもよい。
【００１９】
この特徴によれば、立体編地がクッション性を有しているため、使用者の快適性をさらに高めることができると共に、上方から冷却体に負荷が作用したとしても、前記立体編地がその負荷を吸収し、冷却体に作用する負荷が軽減されるため、冷却体が破壊されるのを防止することができる。
【００２０】
また、本発明は、人体の頭部に接触することにより冷感を与える冷感パッドであって、仰向け姿勢で人体の後頭部が接触する部分には前記冷却体が前記編地に固定されていないことを特徴としてもよい。
【００２１】
この特徴によれば、前記冷却体が仰向け姿勢の使用者の後頭部を冷却することがないため、使用者の快適性をさらに高めることができる。
【００２２】
また、本発明は、人体の頭部に接触することにより冷感を与える冷感パッドであって、前記冷却体は表面側が凸状に湾曲した円板状に形成されており、前記隣接する冷却体との間隔は該冷却体の直径の１／３〜２／３倍の範囲に設定されていることを特徴としてもよい。
【００２３】
この特徴によれば、前記冷却体が頭部の熱を吸収し、この冷却体の吸熱作用は、使用時間の経過と共に頭部との接触面が体温に同化するが、冷却体は、隣接する冷却体と適度に離れて配置されており、寝返り等で頭部と離れている間の短時間で初期状態に戻るため、睡眠中の使用者の快適性を高めることができる。
【００２４】
また、本発明は、人体の胴体部分に接触することにより冷感を与える冷感パッドであって、前記冷却体は表面側が凸状に湾曲した円板状に形成されており、前記隣接する冷却体との間隔は該冷却体の直径の１／２〜１倍の範囲に設定されていることを特徴としてもよい。
【００２５】
この特徴によれば、前記冷却体が胴体部分の熱を吸収し、この冷却体の吸熱作用は、使用時間の経過と共に胴体部分との接触面が体温に同化するが、冷却体は、隣接する冷却体と適度に離れて配置されており、寝返り等で胴体部分と離れている間の短時間で初期状態に戻るため、睡眠中の使用者の快適性を高めることができる。
【発明の効果】
【００２６】
本発明によれば、使用者の人体を冷やし過ぎることがなく、使用時間が長くなっても人体に冷感を与えることができ、使用者の快適性を高めることができる等、種々の優れた効果を得ることができる。
【図面の簡単な説明】
【００２７】
【図１】本発明の第１の実施の形態に係る冷感パッドを示す平面図である。
【図２】本発明の第１の実施の形態に係る冷感パッドを示す裏面図である。
【図３】本発明の第１の実施の形態に係る冷感パッドのボタンを示す平面図である。
【図４】本発明の第１の実施の形態に係る冷感パッドの冷却体を示す平面図である。
【図５】本発明の第１の実施の形態に係る冷感パッドの冷却体を示す裏面図である。
【図６】本発明の第１の実施の形態に係る冷感パッドの冷却体を示す側面図である。
【図７】本発明の第１の実施の形態に係る冷感パッドの時間経過による温度変化の測定結果を示す図である。
【図８】本発明の第２の実施の形態に係る冷感パッドを示す断面図である。
【図９】本発明の第２の実施の形態に係る冷感パッドの冷却体を示す裏面図である。
【図１０】本発明の第２の実施の形態に係る冷感パッドの冷却体を示す側面図である。
【発明を実施するための形態】
【００２８】
以下、図１〜図７を参照しつつ、本発明の第１の実施の形態に係る冷感パッド１０について説明する。なお、以下の実施の形態の説明では、冷感パッド１０を枕に取り付けた場合を例にとって説明する。
【００２９】
図１及び図２に示されているように、本発明の実施の形態に係る冷感パッド１０は、表編地１１と裏編地１２とが連結糸（図示省略）で連結されてメッシュ状に形成された立体編地１４と、立体編地１４の表編地１１に所定の間隔を隔てて縫製により取り付けられる複数のボタン１５と、それぞれのボタン１５に固着される複数のアルミナセラミックス製の冷却体１６と、を備えて構成されている。
【００３０】
立体編地１４の表編地１１と裏編地１２は、例えばポリエステルにより形成され、前記連結糸は例えばナイロンにより形成されており、立体編地１４の厚みは５ｍｍ程度であるのが好ましい。また、立体編地１４の外周部には、ヘム１７が縫製されている。
【００３１】
図２に示されているように、立体編地１４の裏編地１２の裏面側には、左右両側に枕固定用のゴムバンド１８が上下のヘム１７間に取り付けられている。各ゴムバンド１８は上下に分離可能に形成されており、上下に分離されたゴムバンド１８はマジックテープ（登録商標）を介して接続状態が保持されるようになっている。
【００３２】
図３に示されているように、ボタン１５は、衣服用の樹脂製円形ボタンであり、直径が１ｃｍに形成されている。ボタン１５の表面側中央部には、凹部１９が形成されており、この凹部１９に縫い糸を通すための穴２０が４個形成されている。
【００３３】
図４〜図６に良く示されているように、冷却体１６は、表面側が凸状に湾曲した円板状に形成されており、直径が２．５ｃｍで、高さが４ｍｍに形成されている。また、冷却体１６の裏面側には、ボタン１５が嵌合可能な凹部２１が形成されており、冷却体１６の凹部２１の外周面２２は平坦面を形成している。
【００３４】
冷却体１６は、試験室の温度が２０℃、湿度が６５％ＲＨの時の接触面での冷温感試験（ｑ−ｍａｘ試験）によれば、最大熱吸収速度が１．５８８Ｊ／ｃｍ２.ｓｅｃの値を示しており、これにより、この冷却体１６が高い吸熱性を備えていることが分かる。
【００３５】
また、冷却体１６を３６℃±０．５℃の範囲の水中に入れて約５分間保持した後、水中から取り出して水分を拭き取り、恒温恒湿室（温度：２３℃、湿度：５０％ＲＨ）内の断熱材の上に置いて自然放熱させ、Ｋ型熱電対を冷却体１６の表面中央に接着剤で貼付し、時間経過による温度変化を測定した。この結果、図７に示されているように、１０分程の短時間で冷却体１６の温度が室内温度に戻ることが分かった。
【００３６】
このような構成を備えた冷感パッド１０において、立体編地１４の表面側に所定の間隔でボタン１５を縫製により取り付け、ボタン１５の表面及び外周面に接着剤を塗布し、ボタン１５が凹部２１に合致するように冷却体１６をボタン１５に固着する。
【００３７】
これにより、図１に示されているように、冷却体１６は、隣接する冷却体１６と非接触状態で、縦５列、横１２列の範囲に渡って立体編地１４の所定位置に配置及び固定され、冷却体１６の脱落を防止することができる。
【００３８】
この場合、仰向け姿勢で人体の後頭部が接触する部分、例えば、最下段中央の６個分の冷却体１６とその一段上中央の４個分の冷却体１６の配置部分には、冷却体１６を立体編地１４に取り付けないようにしている。
【００３９】
また、冷却体１６の隣接する冷却体１６との間隔は、好ましくは、冷却体１６の直径の１／３〜２／３倍の範囲、さらに好ましくは、冷却体１６の直径の１／２倍となるように設定されるのがよい。
【００４０】
次に、図８〜図１０を参照しつつ、本発明の第２の実施の形態に係る冷感パッド３０について説明する。なお、以下の実施の形態の説明では、上記した第１の形態の場合と同様に、冷感パッド３０を枕に取り付けた場合について説明する。また、以下の説明において、上記した第１の実施の形態の場合と同様の構成については、同一の符号を付し、その詳細な説明は省略する。
【００４１】
図８に示されているように、本発明の実施の形態に係る冷感パッド３０は、立体編地１４の表面側に配設される複数のアルミナセラミックス製の冷却体３１と、冷却体３１を立体編地１４に固定するために立体編地１４の裏面側に取り付けられる樹脂製の固定部材３２と、を備えて構成されている。
【００４２】
冷却体３１は、図８及び図９に示されているように、表面側が凸状に湾曲した直径２ｃｍの円板状に形成された本体部３３と、本体部３３の裏面側から本体部３３と同心円状に突出する凸部３４と、により構成されており、凸部３４の先端には、外鍔部３５が形成されている。なお、冷却体３１は、上記した第１の実施の形態における冷却体１６と同等の強度や吸熱性能等を備えている。
【００４３】
固定部材３２は、図１０に示されているように、冷却体３１の本体部３３と略同一の直径を有する円形状に形成され、中央部分に冷却体３１の凸部３４が嵌合可能な円形の嵌合孔３６が形成されている。嵌合孔３６の外周部分には放射状に複数（図示では６個）のスリット孔３７が等間隔で形成されている。嵌合孔３６の周囲には、隣接するスリット孔３７の間に対応する位置にそれぞれ円弧状の長孔３８が複数（図示では６個）形成されている。
【００４４】
このような構成を備えた冷感パッド３０において、立体編地１４に所定の間隔で丸孔３９を開口し、立体編地１４の表面側から各丸孔３９に冷却体３１の凸部３４を挿通させる。この状態で、立体編地１４の裏面側から凸部３４に嵌合孔３６が貫通するように固定部材３２を押し込むと、外鍔部３５が嵌合孔３６の外周部分に係止し、冷却体３１の本体部３３と固定部材３２とで立体編地１４を挟持した状態となる。これにより、各冷却体３１は、隣接する冷却体３１と非接触状態で、立体編地１４の所定位置に配置及び固定され、冷却体３１の脱落を防止することができる。
【００４５】
このような構成を採用することにより、冷却体３１は固定部材３２を介して立体編地１４に簡単に脱着することが可能となるため、冷却体３１が損傷或いは破損等した場合であっても、簡単に交換することができ、使い勝手を高めることができる。なお、この場合、嵌合孔３６の外周部分にスリット孔３７を形成したことにより、冷却体３１に固定部材３２を取り付ける作業をより円滑且つ容易に行うことができる。
【００４６】
なお、上記した第１の実施の形態の場合と同様に、仰向け姿勢で人体の後頭部が接触する部分には、冷却体３１を立体編地１４に取り付けないようにしてもよく、また、冷却体３１の隣接する冷却体３１との間隔は、好ましくは、冷却体３１の直径の１／３〜２／３倍の範囲、さらに好ましくは、冷却体３１の直径の１／２倍となるように設定されるのがよい。
【００４７】
なお、上記した第１及び第２の実施の形態の説明では、冷感パッド１０，３０を枕に取り付けた場合について例示して説明したが、本発明はこの場合に限定されるものではなく、例えば、ベッドや敷き布団等、人体の胴体部分に接触する部分に取り付けることも可能である。そして、人体の胴体部分に接触する部分に取り付けた場合、冷却体１６，３１の隣接する冷却体１６，３１との間隔は、枕に取り付けた場合の１．５倍程度に広げた方がよく、好ましくは、冷却体１６，３１の直径の１／２〜１倍、さらに好ましくは、冷却体１６，３１の直径の３／４場合となるように設定されるのがよい。
【００４８】
このような構成を備えた冷感パッド１０，３０をゴムバンド１８により枕（図示省略）に固定した状態で、該枕上に使用者の頭部を載せると、該頭部は冷却体１６，３１と接触し、この冷却体１６，３１は頭部の熱を吸収する。そして、この冷却体１６，３１の吸熱作用は、使用時間の経過と共に頭部接触面が体温に同化するが、寝返り等で頭部と離れている間の短時間で初期状態に戻る。
【００４９】
したがって、使用者が特に夏場に睡眠中、頭部と枕との間に熱がこもらなくなり、頭部が常に快適な状態を保つことができ、睡眠中の使用者の快適性を十分に高めることができる。また、使用者が睡眠中に寝返りをしたとしても、使用者の頭部は常に冷却体１６，３１と接触しているため、睡眠中の快適性を保持することができる。
【００５０】
また、使用者が仰向け姿勢の場合、後頭部が接触する部分には冷却体１６，３１がないため、使用者の快適性を高めることができる。
【００５１】
さらにまた、冷却体１６．３１は立体編地１４によって浮いた状態に保持されているため、クッション性があり、使用者の快適性を高めることができると共に、上方から冷却体１６，３１に負荷が作用したとしても、立体編地１４がその負荷を吸収し、冷却体１６，３１に作用する負荷が軽減されるため、冷却体１６，３１が破壊されるおそれもない。
【００５２】
また、使用により冷感パッド１０，３０が汚れた場合には、ブラシに中性洗剤を付けて水を掛けながら擦った後、天日干しするだけで簡単に冷却パッド１０，３１を洗濯することができるため、冷却パッド１０を容易に清潔な状態に保持しておくことができる。したがって、メンテナンスが簡素化されると共に、冷却パッド１０，３１を常に衛生的な状態に保持することができる。
【００５３】
なお、冷却体１６，３１の材質は、上記したアルミナセラミックスに限定されるものではなく、例えば、ステンレス等の金属や、玉石、陶器等、吸熱性能の優れた材質であれば他の材質であってもよい。
【００５４】
また、冷却体１６，３１の立体編地１４への取り付け方法は、上記した方法に限定されるものではなく、例えば、立体編地１４の表面側に直接、接着や縫製によって取り付けたり、或いは、他の方法によって脱着可能に取り付けたりする等、各種変更が可能である。
【符号の説明】
【００５５】
１０          冷感パッド
１１          表編地
１２          裏編地
１４          立体編地
１５          ボタン
１６          冷却体
１９          凹部
３０          冷感パッド
３１          冷却体
３２          固定部材
３４          凸部
３６          嵌合孔
【図３】
2013172950.tif 000003
【図４】
2013172950.tif 000004
【図５】
2013172950.tif 000005
【図６】
2013172950.tif 000006
【図８】
2013172950.tif 000007
【図９】
2013172950.tif 000008
【図１０】
2013172950.tif 000009
【図１】
2013172950.tif 000010
【図２】
2013172950.tif 000011
【図７】
2013172950.tif 000012